(57)【要約】【課題】本発明は、放射線測定装置に係り、特にラドン及びトロンと、その崩壊によって生成する放射性核種をより正確にリアルタイムでしかも簡便に測定することが可能な放射線測定装置を提供する。【解決手段】筒状の被測定空気導入タンク１の周囲に外周電極２を配し、前記被測定空気導入タンクの一端１１にフィルター３を介した被測定空気導入孔４を配し、前記被測定空気導入タンク１の他端１３に半導体検出器５と被測定空気排出孔６を配し、前記半導体検出器５のＰ層７１がマイナス電位に、前記外周電極２がプラス電位になるように前記Ｐ層７１と外周電極２との間に捕集電圧を印加しておくことによって、前記タンク１内に導入された被測定空気中の放射性元素の崩壊に伴いプラスイオン化した娘核種を前記Ｐ層７１に捕集し、前記娘核種の崩壊に伴うα線を前記半導体検出器５により信号として検出する。【選択図】図１
2010133879.tif 000002
【特許請求の範囲】
【請求項１】
筒状の被測定空気導入タンクの周囲に外周電極を配し、前記被測定空気導入タンクの一端にフィルターを介した被測定空気導入孔を配し、前記被測定空気導入タンクの他端に半導体検出器と被測定空気排出孔を配し、前記半導体検出器のＰ層がマイナス電位に、前記外周電極がプラス電位になるように前記Ｐ層と外周電極との間に捕集電圧を印加しておくことによって、前記タンク内に導入された被測定空気中の放射性元素の崩壊によって放出されるプラスイオン化した娘核種を前記Ｐ層に捕集し、前記娘核種の崩壊によって放出されるα線を前記半導体検出器により信号として検出することを特徴とする放射線測定装置。
【請求項２】
被測定空気排出孔から排出される被測定空気の絶対湿度を測定して、前記検出された信号に湿度補正を加えることを特徴とする請求項１記載の放射線測定装置。
【請求項３】
前記湿度補正を加えた信号に捕集・測定中の放射性崩壊による減衰を自動補正し、空気中濃度を自動的に算出する機能を持ったことを特徴とする請求項２記載の放射線測定装置。
【発明の詳細な説明】
【技術分野】
【０００１】
本発明は、放射線測定装置に係り、特にラドン及びトロンと、その崩壊によって得られる放射性元素から成る放射性核種の測定に用いるのに好適な放射線測定装置に関する。
【背景技術】
【０００２】
大気中にはラドン及びトロンと、その崩壊によって作られる放射性核種が含まれ、さらに地中などからラドン及びトロンが常時供給されており、特にビル・地下街などでその濃度が高い可能性があり、呼吸によって体内に取りこまれ、内部被ばくの最も大きな要因となっている。
またウラン２３８及びトリウム２３２を、特に高濃度に含有するとされている光学ガラス・義歯・ウランガラス・ある種の健康器具・TIG溶接の電極棒・電子レンジ・ネックレス・温泉浴素・古いタイプの石膏ボードなど多方面において使われており、さらに、それらの廃棄物からもラドン・トロンが発生し、その面からの被ばくの可能性も考えられる。
【０００３】
このように人間が活動する環境中にはラドンやトロンが、常に存在するにもかかわらず、体内に取り込まれたラドンやその娘核種などの挙動、およびこれらに由来する被曝の人体への影響については良く知られていない面も多い。
さらにトロンに関しては、それ以上に研究が進展していない。
そのためラドン及びトロン、それぞれに由来する娘核種の挙動などに関し、人体への影響や安全確認のための基礎的な測定が必要とされる。
【０００４】
これらの放射性核種の大部分は正に帯電している。すなわち大気中には放射性のプラスイオンが含まれている。従って大気中でのこれらの放射性のプラスイオンの濃度を測定するために、従来は負の高電圧を印加した捕集板によってこれらの放射性のプラスイオンを静電的に捕集し、これらの核種から放出されるα線を専用の放射線検出器によって検出し、これによって大気中でのラドン及びトロン濃度の測定を行なっている。
【０００５】
この測定のための装置としては、たとえば被測定空気が内部に導入される空気導入室と、一対の測定部すなわちα線入射窓を望ませて配置された電離箱と、α線入射窓に近接して配置された電極と、２つの電極との間に電圧を印加する電圧印加手段と、を含むラドン及びトロン測定用放射線測定装置が提案された（特許文献１参照）。
【０００６】
また、検出容器本体の内部に設けられ検出容器本体内部のラドンを検出する検出手段を備えたラドン検出器であって、前記検出容器本体の内面は曲面状かつ鏡面状に形成されて精度を高めたものが提案されている（特許文献２参照）。
【０００７】
また、容器内に電場捕集用電極として導電性の薄膜を配設し、この薄膜にマイナスの電圧を印可する高電圧装置を設け、この薄膜に電場捕集作用によって捕集されるラドンの娘核種からのα線を検出する放射線検出器を前記薄膜に近接配設したラドン濃度測定装置が提案された（特許文献３参照）。
【０００８】
さらに、検出する放射性イオンとは逆極性の電圧が印加された捕集電極を放射線の入射部に設けた放射性イオン検出器であって、シリコン半導体検出器から構成され、該半導体検出器が半導体素子から成り、その一方の電極が直接捕集電極を構成し、該捕集電極に負のバイアス電源が接続されてマイナス電位が印加され、前記捕集電極を構成する一方の電極とは反対側の他方の電極がアース電位にされ、検出に伴う電流を前記一方の電極を通して取出すことを特徴とする放射性イオン検出器が提案されている（特許文献４参照）。
【０００９】
【特許文献１】特許第３５３４４５６号
【特許文献２】特許第３６７３８３２号
【特許文献３】特開平１０―１８６０３６号
【特許文献４】特許第４１３６３０１号
【発明の開示】
【発明が解決しようとする課題】
【００１０】
本発明は、放射線測定装置に係り、特にラドン及びトロンと、その崩壊によって生成する放射性核種をより正確にリアルタイムでしかも簡便に測定することが可能な放射線測定装置を提供することを目的とする。
【課題を解決するための手段】
【００１１】
本発明の放射線測定装置は、筒状の被測定空気導入タンクの周囲に外周電極を配し、前記被測定空気導入タンクの一端にフィルターを介した被測定空気導入孔を配し、前記被測定空気導入タンクの他端に半導体検出器と被測定空気排出孔を配し、前記半導体検出器のＰ層がマイナス電位に、前記外周電極がプラス電位になるように前記Ｐ層と外周電極との間に捕集電圧を印加しておくことによって、前記タンク内に導入された被測定空気中の放射性元素の崩壊に伴いプラスイオン化した娘核種を前記Ｐ層に捕集し、前期娘核種の崩壊に伴うα線を前記半導体検出器により信号として検出することを特徴とするものである。
【００１２】
また、被測定空気排出孔から排出される被測定空気の絶対湿度を測定して、前記検出された信号に湿度補正を加え、さらに内蔵するコンピュータと専用ソフトウエアによって、減衰補正、空気中濃度算出までを自動的に算出することを特徴とするものである。
【発明の効果】
【００１３】
このような放射線測定装置によれば、筒状の被測定空気導入タンクの周囲に外周電極を配し、前記被測定空気導入タンクの一端にフィルターを介した被測定空気導入孔を配し、前記被測定空気導入タンクの他端に半導体検出器と被測定空気排出孔を配し、前記半導体検出器のＰ層がマイナス電位に、前記外周電極がプラス電位になるように前記Ｐ層と外周電極との間に捕集電圧を印加しておくことによって、前記タンク内に導入された被測定空気中の放射性元素の崩壊に伴いプラスイオン化した娘核種を前記Ｐ層に捕集し、前期娘核種の崩壊に伴うα線を前記半導体検出器により信号として検出することを特徴とするものであるため、既発表の放射線検出器と類似の構造としながら、その放射線の入射部に設けられた捕集電極によって正に帯電している、すなわちプラスイオン化した娘核種を静電捕集することができる。そして捕集電極に捕捉された娘核種の崩壊よって放出されるα線をこの検出器によって直接的に直ちに測定することが可能になり、リアルタイムでの娘核種の検出が可能になる。
【００１４】
また、放射線測定回路に接続してそのα線に基づくパルス波高を観測することによって、ラドンとトロン濃度の分別モニタ等が可能になる。フィルターによってタンク内にクリーンルーム様の環境を作り出すことにより、フォトダイオード本来の性能を発揮させる事ができる。さらに本タンクの内容積が空気流量の安定化につながり、遮光容器を兼ね外来ノイズのシールドにも役立ち、結果的に測定の高精度化にもつながる。
【００１５】
さらに、被測定空気排出孔から排出される被測定空気の絶対湿度を測定して、測定対象であるプラスイオン化された娘核種の正の電荷が、空気中に存在する水蒸気によって電気的に中和されて捕集効率が低下してしまう点を、前記検出された信号に湿度補正を加えることにより、測定環境の雰囲気に左右されずに安定した測定値が得られる。
【発明を実施するための最良の形態】
【００１６】
本発明の放射線測定装置の一実施例を添付図面に基づいて、以下に説明する。
図１は、本発明の実施の形態に係る放射線測定装置を示している。
筒状の被測定空気導入タンク１の周囲に外周電極２を配し、前記被測定空気導入タンクの一端１１にフィルター３を介した被測定空気導入孔４を配し、前記被測定空気導入タンク１の他端１３に半導体検出器５と被測定空気排出孔６を配し、前記半導体検出器５のＰ層７１がマイナス電位に、前記外周電極２がプラス電位になるように前記Ｐ層７１と外周電極２との間に捕集電圧を印加しておくことによって、前記タンク１内に導入された被測定空気中の放射性元素の崩壊に伴いプラスイオン化した娘核種を前記Ｐ層７１に捕集し、前記娘核種の崩壊に伴うα線を前記半導体検出器５により信号として検出することを特徴とする。
【００１７】
前記被測定空気導入タンク１の一端１１を前板で塞ぎ、一端にフィルター３を介した被測定空気導入孔４を設け、他端１３の後板に半導体検出器５と被測定空気排出孔６を設ける。
筒状の被測定空気導入タンク１の一端１１を構成する合成樹脂板と内筒１２はいずれも、静電気防止効果のある導電性の合成樹脂から作成してあるので、タンク内壁にプラスの高電位を印加することにより、タンク内部でラドンなどが崩壊するのに伴って正の電荷を有する放射性の娘核種などを、電気的反発力により吸着を妨げて半導体検出器５のほうに誘導することができる。
導電性の合成樹脂としては、たとえばポリ塩化ビニル樹脂、アクリル樹脂、ナイロンなどにカーボンブラックなどを混練して成形したもので、体積抵抗が103〜105程度のものであれば好適に使用できる。
【００１８】
被測定空気導入タンク１の他端１３を構成する後板は、黒色の絶縁性合成樹脂により製造され、タンク内壁のプラスの高電位を印加された部分と後板の中央に取り付けられた半導体検出器５とを電気的に分離してある。
【００１９】
このように被測定空気導入タンク１の内面は、全面的に合成樹脂により覆われているので金属性のものに比べて、ウラン・トリウムなどに由来する成分や放射性物質が混入する程度が非常に少ないため極めて低バックグランド化することができ、さらに軽量化・低コスト化に役立つ。そして、アルミ箔や合成樹脂の黒色化によって高度に遮光してあるので光漏れによるフォトダイオードのノイズを防ぐようにしてある。
【００２０】
フィルター３を介した被測定空気導入孔４は、一端１１を構成する前板のほぼ中央に取り付けられ、被測定空気排出孔６からの吸引に伴って測定すべき環境の空気などの空気を導入できるようになっている。
フィルター３は硝酸セルロースと酢酸セルロース混合物あるいは、高密度ポリエチレンでラミネートされたポリテトラフルオロエチレン製などのものを好適に使用できる。
ラドンやトロンなどの空気は透過するが、空気中の塵、埃などは遮断することができ、被測定空気導入タンク１内を清浄に保つことができるのでフォトダイオードの性能を長期間発揮させることができる。
【００２１】
前記半導体検出器５は導電性の合成樹脂で覆ったフォトダイオード７とプリアンプ８から構成され、前記半導体検出器５のフォトダイオード７のＰ層７１に電源が接続されてマイナス電位が印加され、一方、前記外周電極２にはプラス電位とされ、両極間に高電圧のいわゆる捕集用電圧が印加されている。
このことにより、ラドンやトロンの崩壊に伴いプラスイオン化した娘核種が、電気的にフォトダイオード７のＰ層７１に吸引され効率よく捕集される。
崩壊に伴って放出されるα線などをフォトダイオード７により検出してプリアンプ８を介して信号として出力される。フォトダイオード７にはバイアス電圧を印加して、検出精度を向上させることもできる。
前記外周電極２の外周囲側は高電圧が加わるので、エアキャップなどの絶縁性の合成樹脂からなる絶縁保護材１４で覆うことにより、取扱い時の安全性を図ることができる。
また、アルミ箔２１を外周電極２で巻きつけることにより、導電性合成樹脂からなる内筒１２との接触を均一にすることができる。
【００２２】
図２は、本発明の放射線測定装置の半導体検出器５の具体的な回路構成を示している。
前記半導体検出器５は図1に示すフォトダイオード７から成る半導体素子の入射部を構成するアノードに抵抗を介して負バイアス電源が接続されている。
またアノードは半導体などから成るプリアンプ８を介してリニアアンプ９に接続され、このリニアアンプ９の出力側が図２に示すマイクロコンピュータ１１０に接続されている。
前記マイクロコンピュータ１１０には気圧計１１１、電波時計１１２が接続され、それぞれ気圧及び実時間を記録できるようになっているし、その他にＬＣＤ表示、ＰＣ、プリンター等がマイコン１１０に接続されている。
【００２３】
クリーンルームを形成できるようなフィルター３を設けた被測定空気導入孔４から被測定空気導入タンク１に被測定空気を導入し、前記被測定空気排出孔６の直後に絶対湿度計１１３を配置し、下流に定流量ポンプ１１４を設けて前記被測定空気排出孔６から被測定空気を排気する。
フォトダイオード７の構造上周辺電極部に空気中のイオン性の塵が付着し、暗電流が増加して短い期間で測定不能になるという問題が発生する危険があるが、このフィルター３によって清浄な空気を導入することにより、フォトダイオード７の劣化が起きにくくα線の効率的測定が長期間にわたって測定可能となるものである。
【００２４】
本発明の放射線測定装置の操作動作を添付図面に基づいて、以下に説明する。
図１に示す放射線測定装置の外周電極２とフォトダイオード７間に数百ボルトの高電圧を印加する。
半導体検出器５は、フォトダイオード７の入射部に負のバイアス電圧を印加し、放射性イオン核種を直接入射部で捕集し、捕集されたイオンから放出されるα線のエネルギ信号を直接計測するようにしている。
すなわち半導体検出器５の表面に静電捕集された放射性イオンはそこで崩壊しα線を放出する。このエネルギ信号をこの検出器５が直接測定することになる。
【００２５】
前記半導体検出器５の電極には負のバイアス電源によってフォトダイオード７の入射部を構成するアノード（陰極）が例えばマイナス１００Ｖの電圧を印加される。従って大気中に正イオンから成る放射性イオンが存在する場合には、このイオンがアノードによって捕捉される。
そしてアノードに捕捉された放射性イオンからα線あるいはγ線が放出される。α線粒子によって、フォトダイオード７内において電子と正孔の対が生成され、これらが電界によってアノードおよびカソードにそれぞれ移動する。
正孔の移動によってアノードに電流が流れ、抵抗の両端パルス電圧が生じる。
この電圧信号がプリアンプ８およびリニアアンプ９によって増幅され、マイクロコンピュータ１１０によってそれぞれのα線のエネルギが分析される。
【００２６】
定流量エアポンプ１１４のスイッチを入れ、被測定空気を被測定空気導入タンク１内に導入開始すると同時に開始時刻を自動記録する。
前記半導体検出器５は、フォトダイオード７の入射部を構成するアノードたるＰ層７１の表面に放射性イオンを静電捕集することができる点が極めて大きな特徴である。
また通常の放射線測定回路に接続してその計数率をリアルタイムで観測することによって、ラドン濃度のモニタとして使用できる。
【００２７】
フォトダイオード７からの信号はプリアンプ８を介して、更にリニアアンプ９により増幅しマイクロコンピュータ１１０のＡＤＣポートから取り込む。
核種ごとにデータを蓄積しつつ、同時に一定時間ごとに絶対湿度計１１３、気圧計１１１から絶対湿度・気圧のデータを取り込む。
【００２８】
このパルス信号を、マイクロコンピュータ１１０内でアナログからデジタルに変換を行って、その最大波高値からラドンとトロンを弁別し、さらにそれらの強度（＝頻度）から、それぞれの空気中濃度を算出することができる。
所定時間、例えば１秒間に放射性イオンが崩壊する確率は、そのときに存在する放射性イオン元素の個数に比例する。従って例えば放射性崩壊する際にα粒子が放出されるとすると、このα粒子の個数を測定することによって放射性元素の濃度に関する情報が得られる。
すなわち放射性元素の濃度変化のモニタが可能になる。
【００２９】
このようなモニタの応用例は、例えば大気中に含まれるラドンあるいはトロンの濃度の測定である。経過時間から通過した空気量を計算し、絶対湿度を補正後、空気中のラドン・トロン濃度に換算する。これらデータをメモリーに蓄積する。
一定時間後、高電圧を切って終了時刻を記録し、エアポンプを停止する。
ここで、絶対湿度を補正するためにあらかじめ、絶乾状態及び相対湿度が１００％とした時の絶対湿度における測定により校正を行って補正のプログラムを準備しておくことができる。
【産業上の利用可能性】
【００３０】
本発明は、筒状の被測定空気導入タンクの周囲に外周電極を配し、前記被測定空気導入タンクの一端にフィルターを介した被測定空気導入孔を配し、前記被測定空気導入タンクの他端に半導体検出器と被測定空気排出孔を配し、前記半導体検出器のＰ層がマイナス電位に、前記外周電極がプラス電位になるように前記Ｐ層と外周電極との間に捕集電圧を印加しておくことによって、前記タンク内に導入された被測定空気中の放射性元素の崩壊に伴いプラスイオン化した娘核種を前記Ｐ層に捕集し、前期娘核種の崩壊に伴うα線を前記半導体検出器により信号として検出することを特徴とする放射線測定装置である。
これらのことから、
・放射線、およびその測定技術に関する専門知識は全く不要で、全自動で運転することができる。
・バッテリー駆動による、完全ポータブルな自動測定器である。
【００３１】
従って、本発明の放射線測定装置によれば、捕集電極に捕集された放射性イオンが発生するα線等の放射線を直接的にかつリアルタイムで測定することが可能になる。
この特徴によって、
・人体への、ラドンやトロンの影響の有無を研究する場合に、人間が活動する環境のラドンやトロンの濃度を簡易に測定することによって、多くの基礎となるデータを集積することが可能となる。
・温泉や地下室など、特にラドン濃度が大きくなる可能性の高い施設についてその監視を行って、原因物質などの特定や人体への影響を検証するためのデータを集積することが可能となる。
【００３２】
・ラドンやトロンの崩壊に伴って発生するα線が、種々の科学施設における高感度放射線測定機器に与える影響について解析するための基礎となるデータを集積することが可能となる。
・半導体製造時にα線によるダメージを受けやすい工程において、環境のラドン濃度を監視することができる。
・大地震の際にラドンの濃度変化が観測されていることから、簡易な測定装置により時間的にも地理的にも広範囲で膨大な基礎データを蓄積することにより、ラドンの濃度変化と、さらにトロンの濃度変化と両者の比なども、あわせて地震予知に応用できないか検討することが可能となる
【図面の簡単な説明】
【００３３】
【図１】放射線測定装置の概略の断面図である。
【図２】同検出器の概略の回路図である。
【符号の説明】
【００３４】
１  被測定空気導入タンク
１１  一端
１２  内筒
１３  他端
１４  絶縁保護材
２  外周電極
３  フィルター
４  被測定空気導入孔
５  半導体検出器
６  被測定空気排出孔
７  フォトダイオード
７１  Ｐ層
８  プリアンプ
９  リニアアンプ
１１０  マイクロコンピュータ
１１１  気圧計
１１２  電波時計
１１３  絶対湿度計
１１４  定流量ポンプ
【図１】
2010133879.tif 000003
【図２】
2010133879.tif 000004